(57)【要約】【課題】  低コストで記録材排出時の騒音を低減し、かつ排出された記録材の積載性を向上させた画像処理装置を提供する。【解決手段】  記録材積載トレイ部２１と低摩擦部材で覆われた弾性体３０を貼り付けられた記録材整列受け部２２とからなる積性手段２０をもつプリンタ２００において、前記記録材整列受け部２２の弾性体貼り付け面３１の左右にリブ３２を配し、前記弾性体３０貼り付け後の弾性体３０の頂点が前記リブ３２表面より凸、前記弾性体３０の端部が前記リブ３２表面より凹になるように構成する。【選択図】  図３
2006076744.tif 000002
【特許請求の範囲】
【請求項１】
シートの排出手段と、排出されたシートの積載手段と、前記積載手段に貼り付けられた、表面が低摩擦部材で覆われた弾性体と、を備えたシート処理装置において、
前記積載手段は、シート積載トレイ部とシート整列受け部とから構成され、前記シート整列受け部には弾性体貼り付け面を有し、前記貼り付け面の左右には凸形状を有し、前記弾性体貼り付け面の形状は、前記弾性体貼り付け後の弾性体の頂点が前記凸形状より突出し、前記弾性体の端部が前記突起形状より凹むようになっていることを特徴とするシート処理装置。
【請求項２】
シート排出口近傍における前記凸形状の高さは、前記弾性体表面より凸であることを特徴とする請求項１に記載のシート処理装置。
【請求項３】
前記シート整列受け部は弾性体貼り付け部材とベース部材とからなり、弾性体貼り付け部材は交換可能であることを特徴とする請求項１または２に記載のシート処理装置。
【請求項４】
貼り付け後の前記弾性体の少なくとも上端部は、貼り付け面の裏側に回りこんでいることを特徴とする請求項１ないし３のいずれか１項に記載のシート処理装置。
【請求項５】
シートの排出手段と、
前記排出手段によって排出されたシートが積載されるシート積載トレイと、
前記排出手段によって排出されたシートの後端を整列させ、表面が低摩擦部材で覆われた弾性体が貼り付けられたシート整列受け部と、を備え、
前記シート整列受け部は前記シート積載トレイ側に突出し上下方向にのびた複数のリブを備えると共に前記複数のリブ間に前記弾性体が貼り付けられ、
前記弾性体の頂点が前記リブよりも突出し、前記弾性体の端部側は前記リブよりも低くなるように構成されていることを特徴とするシート処理装置。
【発明の詳細な説明】
【技術分野】
【０００１】
本発明はシートに処理を行うシート処理装置に関する。
【背景技術】
【０００２】
図１０は従来の弾性体貼り付け方式のシート排出積載部の斜視図、図１１は従来の別の弾性体貼り付け方式のシート排出積載部の斜視図である。
【０００３】
図１０に示された従来の弾性体貼り付け方式のシート排出積載部では、シート積載手段２０のシート整列受け部２２の通紙領域全面に弾性体３０が貼り付けられている。
【０００４】
このような弾性体貼り付け方式では、貼り付ける弾性体のサイズが大きくなるため、その分コストアップになってしまう。
【０００５】
また、上記方式では積載トレイ部２１の積載量の増加に伴い、弾性体のサイズもさらに拡大するため、ますますコストアップになってしまう。
【０００６】
このような弾性体貼り付け方式に対して、図１１に示すような弾性体貼り付け方式が知られている。
【０００７】
図１１に示された従来の別の弾性体貼り付け方式の画像処理装置排出積載部では、シート積載手段２０のシート整列受け部２２の一部に弾性体３０が貼り付けられている。
【０００８】
これにより、弾性体のサイズを抑えることが出来、コストダウンが可能となる。
【特許文献１】特許第２７２０８８５号公報
【発明の開示】
【発明が解決しようとする課題】
【０００９】
しかしながら、上記のような弾性体貼り付け方式のシート排出積載部では、下記のような問題が生じていた。
【００１０】
図１１に示された従来の別の弾性体貼り付け方式のシート排出積載部では、弾性体のサイズを抑えコストダウンすることは可能であるが、排出されたシートが弾性体上を滑り落ちるとき、シート端部と弾性体端部の製造上発生するバリとが接触し、シートがスムーズに積載手段の上に落下せず、積載状態のシートは整列しないことや、落下しないシートに次に排出された記録材が衝突しジャムになることがあった。
【００１１】
また、弾性体はシート処理装置の使用にともない摩耗するため、上記貼り付け方式ではユーザーが容易に交換することが出来ないという問題もあった。
【００１２】
本発明は上記の従来技術の課題を鑑みなされたもので、その目的とするところは、低コストでシート排出時の騒音を低減し、かつ排出されたシートの積載性を向上させたシート処理装置を提供することにある。
【課題を解決するための手段】
【００１３】
上記目的を達成するために本発明にあっては、シートの排出手段と、排出されたシートの積載手段と、前記積載手段に貼り付けられた、表面が低摩擦部材で覆われた弾性体と、を備えた画像処理装置において、前記積載手段は、シート積載トレイ部とシート整列受け部とから構成され、前記シート整列受け部には弾性体貼り付け面を有し、前記貼り付け面は左右には凸形状を有し、前記弾性体貼り付け面の形状は、前記弾性体貼り付け後の弾性体の頂点が前記凸形状より突出し、前記弾性体の端部が前記突起形状より凹むようになっていることを特徴とする画像処理装置。
【発明の効果】
【００１４】
上記の構成により、排出されたシートの積載性を向上させ、かつシート排出時の騒音を低減させた画像処理装置を提供することができる。
【００１５】
シート排出口近傍における前記凸形状の高さは、前記弾性体表面より凸であることが好適である。
【００１６】
このような構成により、排出されたシートの排出口近傍での弾性体端部との接触を防ぎ、シート排出時のジャムを防ぐことができる。
【００１７】
前記シート整列受け部は弾性体貼り付け部材とベース部材とからなり、弾性体貼り付け部材は交換可能であることが好適である。
【００１８】
このような構成により、弾性体が摩耗した際にユーザーが容易に交換することができる。
【００１９】
貼り付け後の前記弾性体の少なくとも上端部は、貼り付け面の裏側に回りこんでいることが好適である。
【００２０】
このような構成により、弾性体端部とシートとの接触を防ぎ、かつ貼り付けた弾性体が剥れにくくすることができる。
【発明を実施するための最良の形態】
【００２１】
以下に図面を参照して、この発明の好適な実施の形態を例示的に詳しく説明する。ただし、この実施の形態に記載されている構成部品の寸法、材質、形状、その相対配置などは、特に特定的な記載がない限りは、この発明の範囲をそれらのみに限定する趣旨のものではない。また、以下の説明で一度説明した部材についての材質、形状などは、特に改めて記載しない限り初めの説明と同様のものである。
【実施例１】
【００２２】
図１は本実施の形態に係るシート処理装置の一例である画像処理装置の排紙積載部の斜視図、図２は本実施の形態に係る画像処理装置の排紙積載部の拡大図、図３は本実施の形態に係る画像処理装置の排紙積載部の断面図、図４は本実施の形態に係る画像処理装置の排紙積載動作を説明するための断面図、図８は本実施の形態に係る画像処理装置の斜視図、図９は本実施の形態に係る画像処理装置の断面図である。
【００２３】
はじめに、本実施の形態に係る画像処理装置の全体構成について図８、図９を参照して説明する。
【００２４】
本実施の形態に係る画像処理装置は、電子写真方式によって画像を形成するプリンタ２００であり、搬送手段によって記録材Ｓ（シート）を画像形成手段へ搬送してトナー像を転写し、その記録材Ｓを定着手段へ搬送してトナー定着した後、排出部へと排出する。
【００２５】
具体的には、装置下部に記録材Ｓを積載収納するの着脱可能なユニットであるシートカセット１が装填されており、画像形成に際しては記録材Ｓが給送ローラ２で給送されると共に、分離ローラ対３によって１枚ずつ分離給送され、さらに搬送ローラ対４及びレジストローラ対５で画像形成手段へと搬送される。
【００２６】
本実施の形態の画像形成手段（画像処理手段）は電子写真感光体である感光体ドラム６や現像器（図示せず）等を一体的にカートリッジ化したプロセスカートリッジ７がプリンタ２００本体に着脱可能に装填されている。そして、記録材Ｓの搬送と同期して感光体ドラム６にレーザスキャナ８から画信号に応じた露光を行うことで感光体ドラム６に静電潜像を形成し、その静電潜像を現像器によってトナー現像してトナー像として可視像化する。感光体ドラム６上のトナー像は、搬送される記録材Ｓを挟んで反対側に配置された転写ローラ９へ転写バイアスを印加することで記録材Ｓに転写され画像形成される。
【００２７】
上記のようにしてトナー像が転写された記録材Ｓは定着手段１２へと搬送される。定着手段１２は内部にヒータ（図示せず）を内蔵した定着ローラ１２ａと、定着ローラ１２ａに記録材Ｓを押圧して駆動回転する加圧ローラ１２ｂとで構成され、両ローラ１２ａ，１２ｂ間を記録材Ｓが通過する際に加熱、加圧することでトナー像を記録材Ｓに永久定着する
上記トナー定着された記録材Ｓは搬送ローラ対１３によって搬送され、排出形態によって搬送路を切り替えるフラッパー１０により、搬送路Ｕまたは記録材Ｓを反転させる反転部１１を通る搬送路Ｄへと搬送された後、排出ローラ対１４によって装置側面部の積載手段２０へ排出される。
【００２８】
排出された記録材（シート）は、排出ローラ対１４によって排出手段上を飛び出したのち、積載トレイ部２１に沿って落下、記録材整列受け部２２に衝突した後、積載トレイ部２１上に積載されていく。
【００２９】
また、本実施の形態にかかわるプリンタ２００は、オプションによって両面搬送ユニット、排紙分別積載ユニット等が装着可能である。両面搬送ユニットはプリンタ本体２００に内蔵され、排紙分別ユニットは装置側面部の積載手段２０と交換して設置される。
【００３０】
次に、本実施の形態に係るプリンタ２００のうち、発明の特徴部分である弾性体貼り付け面３１を有する記録材整列受け部２２について詳述する。
【００３１】
図１は本実施の形態に係るプリンタ２００の記録材積載手段が示されている。積載手段２０は、排出された記録材を積載する積載トレイ部２１と、排出された記録材の端部を整列させる記録材整列受け部２２とを持ち、記録材整列受け部２２には表面が低摩擦部材で覆われた弾性体３０が貼り付けられている。
【００３２】
図２は記録材積載手段２０の拡大図であり、図２に示すように、弾性体３０の左右にはリブ３２が存在し、図２のＺにおける断面形状は図３に示されている。
【００３３】
図３に示すように記録材整列受け部２２上の弾性体貼り付け面３１の断面は緩やかな山形状をしており、その左右にはリブ３２が配置されている。
【００３４】
弾性体貼り付け後の記録材整列受け部２２の断面は、弾性体中央部表面はリブ表面よりＸ１突出し、弾性体両端部はリブ表面よりＸ２凹むようになっている。
【００３５】
上記構成により、排出された記録材Ｓは記録材整列受け部２２上のリブよりも先に弾性体３０に衝突し、記録材Ｓは端部が弾性体上を滑りながら積載トレイ部へ落下積載される。
【００３６】
これにより、記録材Ｓが記録材整列受け部２２と衝突する際に発生する音を抑えることが可能となる。
【００３７】
また、カールした記録材や傾いて排出された記録材など、その端部が弾性体端部と接触する位置にあった場合でも、リブ３２があるため記録材Ｓは弾性体３０の端部と接触することはなく、これによって発生するジャム等を防止できる。
【００３８】
さらに、弾性体３０の左右にリブ３２が存在するため、弾性体３０を記録材整列受け部２２全面に貼り付ける必要はなく、弾性体３０のサイズを小型化しコストダウンすることが可能となる。
【００３９】
また、弾性体貼り付け面断面が緩やかな山形状をしていることで、貼り付け前後での弾性体３０の形状変化を少なくし、それにより弾性体３０が剥れにくくなる。
【実施例２】
【００４０】
次に第２の実施の形態について説明する。図５は本実施の形態に係る画像処理装置の排紙積載部の斜視図、図６は本実施の形態に係る画像処理装置の交換可能部材の斜視図、図７は本実施の形態に係る画像処理装置の交換可能部材の断面図である。なお、以下では前述した実施形態と異なる部分のみを説明し、同一機能を有する部材については同一符号を付す。
【００４１】
前述した第１の実施の形態では、弾性体３０を記録材整列受け部２２に直接貼り付けた例を示したが、図５、６、７に示すように、記録材整列受け部２２を弾性体貼り付け部材４０とベース部材４１とで構成し、弾性体貼り付け部材４０に弾性体３０を貼り付けてもよい。
【００４２】
このように構成すると、プリンタの使用に伴って摩耗した弾性体３０を、弾性体貼り付け部材４０ごとユーザーが容易に交換することが出来る。
【００４３】
また、図７に示すように、弾性体３０は排紙口近傍においてリブ３２に対し段差Ｘ３を持ち、弾性体３０の上下端部は通紙面Ｐの裏側へ回りこんでいる。
【００４４】
このように構成すると排紙口近傍において記録材端部が弾性体端部と接触することがなく、それにより発生するジャムを防止できる。
【００４５】
さらに、弾性体３０を通紙面裏側へ回りこませることで、弾性体３０と弾性体貼り付け面３１との接触面積を増やし、貼り付けた弾性体３０を剥れにくくすることが出来る。
【図面の簡単な説明】
【００４６】
【図１】本実施の形態に係る画像処理装置の排紙積載部の斜視図。
【図２】本実施の形態に係る画像処理装置の排紙積載部の拡大図。
【図３】本実施の形態に係る画像処理装置の排紙積載部の断面図。
【図４】本実施の形態に係る画像処理装置の排紙積載動作を説明するための断面図。
【図５】本実施の形態に係る画像処理装置の排紙積載部の斜視図。
【図６】本実施の形態に係る画像処理装置の交換可能部材の斜視図。
【図７】本実施の形態に係る画像処理装置の交換可能部材の断面図。
【図８】本実施の形態に係る画像処理装置の斜視図。
【図９】本実施の形態に係る画像処理装置の断面図。
【図１０】従来の弾性体貼り付け方式の画像処理装置排紙積載部の斜視図。
【図１１】従来の別の弾性体貼り付け方式の画像処理装置排紙積載部の斜視図。
【符号の説明】
【００４７】
１  シートカセット
２  給送ローラ
３  分離ローラ対
４  搬送ローラ対
５  レジストローラ対
６  感光体ドラム
７  プロセスカートリッジ
８  レーザスキャナ
９  転写ローラ
１０  フラッパー
１１  反転部
１２  定着手段
１２ａ  定着ローラ
１２ｂ  加圧ローラ対
１３  搬送ローラ
１４  排出ローラ対
２０  積載手段
２１  積載トレイ部
２２  記録材整列受け部
３０  弾性体
３０ａ  低摩擦部材
３０ｂ  弾性体
３１  弾性体貼り付け面
３２  リブ
４０  弾性体貼り付け部材
４１  ベース部材
１００  イメージスキャナ
２００  プリンタ
Ｐ  通紙面
Ｓ  記録材（シート）
Ｘ１  凸量
Ｘ２  凹量
Ｘ３  段差
【図１】
2006076744.tif 000003
【図２】
2006076744.tif 000004
【図３】
2006076744.tif 000005
【図４】
2006076744.tif 000006
【図５】
2006076744.tif 000007
【図６】
2006076744.tif 000008
【図７】
2006076744.tif 000009
【図８】
2006076744.tif 000010
【図９】
2006076744.tif 000011
【図１０】
2006076744.tif 000012
【図１１】
2006076744.tif 000013